(57)【要約】【課題】  音声出力機能を有する医療機器において、ユーザにとってより聞き取りやすい音声による再出力を、簡易な操作で実現する。【解決手段】  画面を表示する表示制御手段と、音声メッセージを画面と対応付けて記憶する記憶手段と、前記記憶された音声メッセージに対応付けられた画面が、前記表示制御手段により表示された場合に、該音声メッセージを出力する音声出力手段と、を備える医療機器であって、前記音声メッセージを再出力するための再生ボタンと、該再生ボタンにより再出力が指示された回数をカウントし、該カウントされた回数に応じて、前記音声メッセージを出力する際の音量レベル、音声出力スピード、音程レベルの少なくともいずれか１つの設定を変更する変更手段とを備える。【選択図】  図４
2012070971.tif 000002
【特許請求の範囲】
【請求項１】
所定の条件が成立した場合に、表示する画面を切り替える表示制御手段と、
前記表示制御手段により切り替えられた画面が表示されている間に出力されるべき音声メッセージを、該画面と対応付けて記憶する記憶手段と、
前記記憶手段により記憶された音声メッセージに対応付けられた画面が、前記表示制御手段により表示された場合に、該音声メッセージを出力する音声出力手段と、を備える医療機器であって、
前記対応付けられた画面が表示されている間に出力された前記音声メッセージについて、再出力を指示する指示手段と、
前記対応付けられた画面が表示されている間に、前記指示手段により再出力が指示された回数をカウントし、該カウントされた回数に応じて、前記音声メッセージを出力する際の音量レベル、音声出力スピード、音程レベルの少なくともいずれか１つの設定項目について、設定を変更する変更手段と
を備えることを特徴とする医療機器。
【請求項２】
前記表示制御手段により前記画面が次の画面へと切り替えられた場合に、前記変更手段により変更された前記設定を、変更前の設定に戻す再変更手段を更に備えることを特徴とする請求項１に記載の医療機器。
【請求項３】
前記変更手段は、前記再出力の指示の回数の増加に伴って、音量レベル、音声出力スピード、音程レベルの順に、設定を変更していくことを特徴とする請求項１に記載の医療機器。
【請求項４】
前記変更手段は、前記再出力の指示の回数の増加に伴って、音量レベル、音声出力スピード、音程レベルの少なくともいずれか１つの設定項目の設定を、段階的に変更していくことを特徴とする請求項１に記載の医療機器。
【請求項５】
被検者の生体情報を測定するための測定条件が成立した場合に、
前記表示制御手段は、該生体情報を測定可能であることを示す画面を表示し、
前記音声出力手段は、該生体情報を測定可能であることを示す音声メッセージを出力し、
該生体情報の測定が終了した場合に、
前記表示制御手段は、該生体情報の測定結果を示す画面を表示し、
前記音声出力手段は、該生体情報の測定結果を示す音声メッセージを出力することを特徴とする請求項１に記載の医療機器。
【請求項６】
前記医療機器は、血糖測定装置であり、
被検者の血液を吸収するためのチップが装着され、かつ、該チップが所定の測定環境下にあることが検知された場合に、
前記表示制御手段は、血糖値を測定可能であることを示す画面を表示し、
前記音声出力手段は、血糖値を測定可能であることを示す音声メッセージを出力し、
該血糖値の測定が終了した場合に、
前記表示制御手段は、該血糖値の測定結果を示す画面を表示し、
前記音声出力手段は、該血糖値の測定結果を示す音声メッセージを出力することを特徴とする請求項５に記載の医療機器。
【請求項７】
前記被検者の血液を吸収するためのチップが装着されていないことが検知された場合、または、該チップが所定の測定環境下にないことが検知された場合に、
前記表示制御手段は、血糖値の測定が可能でないことを示す画面を表示し、
前記音声出力手段は、血糖値の測定が可能でないことを示す音声メッセージを出力することを特徴とする請求項６に記載の医療機器。
【発明の詳細な説明】
【技術分野】
【０００１】
本発明は、医療機器における音声出力制御技術に関するものである。
【背景技術】
【０００２】
従来より、医療機器の分野では、音声出力機能により測定時の機器の内部状態や測定が完了した際の測定結果等を、ユーザに報知する構成が一般的となっている（例えば、下記特許文献１、２参照）。
【０００３】
このような医療機器では、測定が開始されたことや測定が完了したこと、あるいは得られた測定結果等を、ユーザは音声により認識することができるため、ユーザにとっては利便性が高い。更に、視力障害を有するユーザにとっては不可欠な機能ともいえる。
【０００４】
加えて、上記音声出力機能には音量設定スイッチや再生ボタン等も付加されており、必要に応じて音量レベルの上げ／下げや、音声の再出力等を行うことが可能となっている。このため、出力された音声を聞き取ることができなかった場合でも、ユーザは、例えば音量レベルを上げたうえで聞きなおすことができる。
【先行技術文献】
【特許文献】
【０００５】
【特許文献１】特開２００３−５８３５９号公報
【特許文献２】特許第４３９５１４６号
【発明の概要】
【発明が解決しようとする課題】
【０００６】
しかしながら、視力障害を有するユーザの場合、音量レベルを調整するための音量設定スイッチを操作し、適切な音量レベルに変更することは必ずしも容易なことではない。また、音量レベルを調整しただけでは、必ずしも聞き取ることができるようにならない場合もある。このため、医療機器が有する音声出力機能は、視力障害を有するユーザにとっても使い勝手のよいものであることが望ましい。
【０００７】
本発明は上記課題に鑑みてなされたものであり、音声出力機能を有する医療機器において、ユーザにとってより聞き取りやすい音声による再出力を、簡易な操作で実現することを目的とする。
【課題を解決するための手段】
【０００８】
上記の目的を達成するために、本発明に係る医療機器は以下のような構成を備える。即ち、
所定の条件が成立した場合に、表示する画面を切り替える表示制御手段と、
前記表示制御手段により切り替えられた画面が表示されている間に出力されるべき音声メッセージを、該画面と対応付けて記憶する記憶手段と、
前記記憶手段により記憶された音声メッセージに対応付けられた画面が、前記表示制御手段により表示された場合に、該音声メッセージを出力する音声出力手段と、を備える医療機器であって、
前記対応付けられた画面が表示されている間に出力された前記音声メッセージについて、再出力を指示する指示手段と、
前記対応付けられた画面が表示されている間に、前記指示手段により再出力が指示された回数をカウントし、該カウントされた回数に応じて、前記音声メッセージを出力する際の音量レベル、音声出力スピード、音程レベルの少なくともいずれか１つの設定項目について、設定を変更する変更手段とを備えることを特徴とする。
【発明の効果】
【０００９】
本発明によれば、音声出力機能を有する医療機器において、ユーザにとってより聞き取りやすい音声による再出力を、簡易な操作で実現することが可能となる。
【図面の簡単な説明】
【００１０】
【図１】本発明の一実施形態に係る血糖測定装置１００の外観構成を示す図である。
【図２】血糖測定装置１００ハードウェア構成を示す図である。
【図３】ユーザによる血糖測定時の操作内容と、対応する画面表示及び音声出力の関係を示す図である。
【図４】再生ボタン押下時の音声出力制御処理の流れを示すフローチャートである。
【図５】画面遷移時の音声出力制御処理の流れを示すフローチャートである。
【発明を実施するための形態】
【００１１】
以下、本発明の各実施形態について図面を参照しながら説明する。なお、以下の各実施形態では、音声出力機能を有する医療機器として、血糖測定装置を例に挙げて説明するが、本発明は血糖測定装置に限定されるものではなく、音声出力機能を有する医療機器であれば、在宅で使用する携帯用輸液ポンプや、在宅で使用する自動腹膜透析装置等、他の生体情報を測定する医療機器であってもよい。
【００１２】
［第１の実施形態］
＜１．血糖測定装置の外観構成＞
図１は、本発明の一実施形態に係る血糖測定装置１００の外観構成を示す図である。図１に示すように、血糖測定装置１００は、測定装置本体部１１０と、測定装置本体部１１０に装着されるチップ１２０とを備える。
【００１３】
チップ１２０は、血液検体を保持するものであり、細管部１２１が配されたホルダ１２２を備え、ホルダ１２２内部には試験紙（不図示）が固定されている。
【００１４】
細管部１２１は、毛細管現象により先端開口部から血液検体をホルダ１２２内部へと導く。細管部１２１を介して導かれる血液検体は、ホルダ１２２内部の試験紙に吸収される。試験紙には、グルコースと反応して呈色反応を示す発色試薬が含浸されている。
【００１５】
測定装置本体部１１０では、チップ１２０に保持された血液検体の血糖値を算出する。具体的には、波長の異なる２つの光を血液検体に照射して反射光の強度を測定することで血糖値を算出する。
【００１６】
血糖値の算出を行うために、測定装置本体部１１０のハウジング１１１の先端には、波長の異なる２つの光を血液検体に照射して反射光の強度を測定する測定部１１２が配されている。また、ハウジング１１１の内部には、測定部１１２を制御するとともに測定部１１２で取得された測光値データに対して種々の演算を実行する制御部（不図示）が配されている。
【００１７】
更に、ハウジング１１１の表面には、血糖測定装置１００に電力を供給する電源に対してＯＮ／ＯＦＦを指示するための電源スイッチ１１３と、制御部において算出された血糖値や制御部において検知された血糖測定装置１００の内部状態等を表示するための表示部１１４と、制御部において算出され記憶された過去の血糖値を呼び出し、表示部１１４に表示させるための呼び出しボタン１１５と、音声出力された内容を再出力させるための再生ボタン１１６とが配されている。
【００１８】
なお、図１においては不図示であるが、ハウジング１１１の裏面には、制御部からの指示に基づいて選択された音声データを出力するための音声出力部（例えばスピーカ）と、該音声出力部より音声データを出力する際の音量レベルを設定する音量設定スイッチとが配されている。
【００１９】
＜２．血糖測定装置のハードウェア構成＞
次に、血糖測定装置１００の測定装置本体部１１０のハードウェア構成について説明する。図２は、血糖測定装置１００の測定装置本体部１１０のハードウェア構成を示す図である。
【００２０】
図２に示すように、測定部１１２は、発光素子２２１と受光素子２２２とを備える。発光素子２２１は、制御部２００からの発光指示に基づいて発光を行い、受光素子２２２は、発光素子２２１の発光により血液検体に照射された光が反射した際の反射光を受光し、測光値データを出力する。
【００２１】
ハウジング１１１は、制御部２００と、Ａ／Ｄ変換器２１１と、音量設定スイッチ２１２と、表示部１１４と、入力部２１４と、音声出力部２１５とを備える。
【００２２】
Ａ／Ｄ変換器２１１では、受光素子２２２より出力された測光値データを、Ａ／Ｄ変換する。また、Ａ／Ｄ変換した測光値データを制御部２００に入力する。
【００２３】
制御部２００は、マイクロコンピュータなどのＣＰＵ２０１と記憶部２０２とを備え、各種プログラム及びデータ（Ａ／Ｄ変換器２１１を介して入力された測光値データに基づいて、血糖値を算出するための血糖値算出プログラム及びデータ、表示部１１４に所定の画面を表示するための表示制御プログラム及び画面データ、音声出力部２１５を介して所定の音声を出力する音声出力プログラム及び音声データを含む）は記憶部２０２に格納されており、適宜ＣＰＵ２０１において制御、処理、判断が実行される。
【００２４】
なお、本発明に係る音声出力制御方法（再生ボタン押下時の音声出力制御処理、及び、画面遷移時の音声出力制御処理。詳細は後述）を実現するための音声出力制御プログラム及び設定データも、記憶部２０２に格納されている。
【００２５】
音量設定スイッチ２１２は、音声出力部２１５より音声データを出力する際の音量レベルを設定するスイッチである。音量設定スイッチ２１２により設定された音量レベルは、制御部２００に入力され、音声出力プログラムによる音声出力処理ならびに音声出力制御プログラムによる音声出力制御処理において用いられる。
【００２６】
表示部１１４は、制御部２００からの表示指示に基づき、所定の画面（算出された血糖値や血糖測定装置１００の内部状態を示す画面）を表示する。入力部２１４は、図１の電源スイッチ１１３、呼び出しボタン１１５、再生ボタン１１６が含まれ、入力部２１４を介してユーザ（被検者または測定者）より入力された指示は、制御部２００に入力される。音声出力部２１５は、制御部２００からの音声出力指示に基づいて、音声を出力する。
【００２７】
＜３．血糖測定装置における操作内容と画面表示及び音声出力との対応関係＞
次に、血糖測定装置１００におけるユーザの各種操作内容（血糖値測定のための各種操作内容）と、当該操作時に表示部１１４に表示される画面及び音声出力部２１５より出力される音声との対応関係について説明する。
【００２８】
図３は、ユーザによる血糖測定時の操作内容と、表示部１１４において対応する画面表示及び音声出力を示す図である。
【００２９】
図３に示すように、ユーザが電源スイッチ１１３をＯＮすると、音声出力部２１５では、ユーザからの操作指示を受け付けたことを示すビープ音（「プ・プ」）を出力する。血糖測定装置１００の制御部２００では、電源スイッチ１１３がＯＮされると、測定可能な状態にあるか否かを判定し、測定可能な状態にないと判定された場合には、所定のエラー表示及び音声出力を行う。
【００３０】
図３の例では、測定装置本体部１１０にチップ１２０が装着されていなかった場合を示しており、この場合、表示部１１４には、“ｎｏ”の文字を示す画面３１１が表示されるとともに、音声メッセージ３２１（「正しいチップがついていません」）が出力される。なお、この状態で再生ボタン１１６が押下されると、音声メッセージ３２１（「正しいチップがついていません」）が再出力される。
【００３１】
画面３１１の表示及び音声メッセージ３２１の出力に応じて、ユーザによりチップ１２０が正しく装着されると、血糖測定装置１００では再び測定可能な状態にあるか否かを判定し、測定可能な状態にないと判定された場合には、所定のエラー表示及び音声出力を行う。
【００３２】
図３の例では、チップ１２０の先が向いている方向が明るすぎる場合を示しており、この場合、表示部１１４には、“Ｌ”の文字を示す画面３１２が表示されるとともに、音声メッセージ３２２（「周囲が明るすぎます」）が出力される。なお、この状態で再生ボタン１１６が押下されると、音声メッセージ３２２（（「周囲が明るすぎます」）が再出力される。
【００３３】
画面３１２の表示及び音声メッセージ３２２の出力に応じて、ユーザによりチップ１２０の先が向いている方向が変更され、あるいは、ユーザが所定の測定環境下に移動することで、測定環境が改善されると、血糖測定装置１００では再び測定可能な状態にあるか否かを判定する。
【００３４】
ここで、測定可能な状態にあると判定されると（つまり、測定条件が成立したと判定されると）、表示部１１４には、画面３１３が表示されるとともに、ビープ音（「ピピッ」）が出力された後、音声メッセージ３２３（「測定できます」）が出力される。なお、この状態で、再生ボタン１１６が押下されると、音声メッセージ３２３（「測定できます」）が再出力される。
【００３５】
画面３１３の表示及び音声メッセージ３２３の出力に応じて、ユーザが指先を穿刺し、当該穿刺部分にチップ１２０を接触させることで、チップ１２０が血液を吸引すると、血糖測定装置１００ではこれを検知し、血糖値測定を開始する。このとき、表示部１１４には、測定終了までの秒数を示す“１８”が画面３１４に表示され、音声出力部２１５からはビープ音（「ポッポッポ」）が出力される。その後、表示部１１４では、“１８”という数字をカウントダウン表示することで、測定終了までの待ち時間（秒）を表示する（なお、測定終了までの待ち時間は、例えば、バー表示を１つずつ減少させることで表示してもよい）。
【００３６】
制御部２００による血糖値の算出が終了すると、音声出力部２１５では血糖値測定が終了したことを示すビープ音（「ピッピッピ」）が出力されるとともに、表示部１１４上には、測定結果である血糖値を含む画面３１５が表示される。あわせて、測定月・日・時間も表示される。更に、音声出力部２１５では、測定結果である血糖値（音声メッセージ３２５）を音声出力する。なお、この状態で再生ボタン１１６が押下されると、音声メッセージ３２５（「１２３です」）が再出力される。
【００３７】
このように、本実施形態に係る血糖測定装置１００は、内部状態に対応して複数の画面が表示可能であり、その一部の画面には、それぞれ１つの音声メッセージが対応付けられている。
【００３８】
そして、当該音声メッセージが対応付けられた画面が表示されている間は、再生ボタン１１６が押下されると、当該対応付けられた音声メッセージが再出力される。なお、内部状態の変化により、次の画面へと遷移されると、再生ボタン１１６を押下しても、当該遷移前の画面に対応付けられた音声メッセージが再出力されることはない。
【００３９】
なお、遷移後の画面に、音声メッセージが対応付けられていた場合には、再生ボタン１１６が押下されることで、遷移後の画面に対応付けられた当該音声メッセージが再出力されることとなり、遷移後の画面に、音声メッセージが対応付けられていない場合には、再生ボタン１１６が押下されても、音声メッセージが再出力されることはない。
【００４０】
＜４．再生ボタン押下時の音声出力制御処理の流れ＞
次に、再生ボタン１１６押下時の音声出力制御処理の流れについて説明する。図４は、制御部２００において実行される、再生ボタン１１６押下時の音声出力制御処理の流れを示すフローチャートである。
【００４１】
ステップＳ４０１では、再生ボタン１１６が繰り返し押下された回数（Ｒｅｐｌａｙ＿Ｃｏｕｎｔ）を取得する。具体的には、現在表示部１１４に表示されている画面が表示されている間に、再生ボタン１１６が複数回押下された場合に、これをカウントする。
【００４２】
ステップＳ４０２では、現在、音量設定スイッチ２１２によって設定されている音量レベル（Ｖｏｌｕｍｅ＿Ｌｅｖｅｌ）を取得する。
【００４３】
ステップＳ４０３では、ステップＳ４０１において取得したＲｅｐｌａｙ＿Ｃｏｕｎｔが２以上であるか否かを判定する。ステップＳ４０３において、２以上でないと判定された場合には、処理を終了する。一方、２以上であると判定された場合には、ステップＳ４０４に進む。
【００４４】
ステップＳ４０４では、ステップＳ４０２において取得したＶｏｌｕｍｅ＿Ｌｅｖｅｌに、ステップＳ４０１において取得したＲｅｐｌａｙ＿Ｃｏｕｎｔから１を引いた値を加算することで、新たなＶｏｌｕｍｅ＿Ｌｅｖｅｌを算出する。
【００４５】
ステップＳ４０５では、ステップＳ４０４において新たに算出されたＶｏｌｕｍｅ＿Ｌｅｖｅｌが、音量設定スイッチ２１２により設定可能な最大の音量レベルよりも大きいか否かを判定する。
【００４６】
ステップＳ４０５において、最大の音量レベル以下であると判定された場合には、処理を終了する（この場合、ステップＳ４０４において算出されたＶｏｌｕｍｅ＿Ｌｅｖｅｌにより再出力が行われる）。一方、ステップＳ４０５において、最大の音量レベルより大きいと判定された場合には、ステップＳ４０６に進み、Ｖｏｌｕｍｅ＿Ｌｅｖｅｌに最大の音量レベルを設定する。
【００４７】
更に、ステップＳ４０７では、音声出力スピード（Ｓｐｅｅｄ＿Ｌｅｖｅｌ）を取得し、ステップＳ４０８では、取得したＳｐｅｅｄ＿ＬｅｖｅｌがＬｏｗであるか否かを判定する。
【００４８】
ステップＳ４０８において、Ｓｐｅｅｄ＿ＬｅｖｅｌがＬｏｗでないと判定された場合には、ステップＳ４０９に進み、Ｓｐｅｅｄ＿ＬｅｖｅｌにＬｏｗを設定し、処理を終了する（この場合、音量レベル＝最大音量レベル、音声出力スピード＝Ｌｏｗにより再出力が行われる）。一方、ステップＳ４０８において、Ｓｐｅｅｄ＿ＬｅｖｅｌがＬｏｗであると判定された場合には、ステップＳ４１０に進み、音程の高さレベル（Ｔｏｎｅ＿Ｌｅｖｅｌ）を取得する。
【００４９】
更に、ステップＳ４１１では、取得したＴｏｎｅ＿ＬｅｖｅｌがＬｏｗであるか否かを判定し、ステップＳ４１１においてＴｏｎｅ＿ＬｅｖｅｌがＬｏｗであると判定された場合には、処理を終了する。一方、ステップＳ４１１において、Ｔｏｎｅ＿ＬｅｖｅｌがＬｏｗではないと判定された場合には、ステップＳ４１２に進み、Ｔｏｎｅ＿ＬｅｖｅｌをＬｏｗにした後、処理を終了する（この場合、音量レベル＝最大音量レベル、音声出力スピード＝Ｌｏｗ、音程の高さレベル＝Ｌｏｗにより再出力が行われる）。
【００５０】
このように、本実施形態に係る血糖測定装置１００では、音声メッセージが対応付けられた画面が表示されている状態で、再生ボタン１１６が繰り返し押下された場合には、押下回数の増加に伴って、はじめに音量レベルを最大音量レベルまで引き上げ、それでも再生ボタン１１６が繰り返し押下された場合には、次に、音声出力スピードをＬｏｗに設定し、それでも再生ボタン１１６が繰り返し押下された場合には、更に、音程の高さレベルをＬｏｗに設定する構成とした。
【００５１】
つまり、再生ボタン１１６の繰り返し操作に基づいて、自動的に、音量レベル、音声出力スピード、音程の高さレベルを変更し、より聞き取りやすい音声を出力させる構成とした。これにより、従来のように、別途、音量設定スイッチ２１２を操作する必要がなくなり、視力障害を有するユーザであっても、簡単に操作を行うことが可能となった。更に、従来のような音量レベルの変更だけでなく、音声出力スピード及び音程レベルについても順次変更させることで、より聞き取りやすい音声を出力することが可能となった。なお、音量レベルにあわせてほユ時部１１４にバー表示をするように構成してもよい。
【００５２】
＜５．画面遷移時の音声出力制御処理の流れ＞
次に、画面遷移時の音声出力制御処理の流れについて図５を用いて説明する。図４を用いて説明したとおり、再生ボタン１１６が繰り返し押下された場合には、自動的に、音量レベル、音声出力スピード、音程の高さレベルを変更するが、当該変更により、ユーザが出力された音声を理解し、次の画面へと遷移した場合には、当該変更された音量レベル、音声出力スピード、音程の高さレベルは、元の状態に自動的に戻るよう構成されていることが望ましい。
【００５３】
そこで、本実施形態に係る血糖測定装置１００では、変更された音量レベル、音声出力スピード、音程の高さレベルを、画面遷移を契機として自動的に変更前の設定に戻す処理（再変更処理）を実行する。
【００５４】
具体的には、ステップＳ５０１において、Ｒｅｐｌａｙ＿Ｃｏｕｎｔを初期化する（ゼロにする）。これにより、音量レベルは音量設定スイッチ２１２によって設定されている音量レベルに戻る。更に、ステップＳ５０２において、Ｓｐｅｅｄ＿Ｌｅｖｅｌを初期化する。これにより、音声出力スピードは変更前の設定に戻る。更に、ステップＳ５０３において、Ｔｏｎｅ＿Ｌｅｖｅｌを初期化する。これにより、音程の高さレベルは変更前の設定に戻る。
【００５５】
このように、再生ボタン１１６が繰り返し押下されることで自動的に変更した、音量レベル、音声出力スピード、音程の高さレベルは、次の画面への遷移に伴って、元に戻ることとなる。
【００５６】
以上の説明から明らかなように、本実施形態に係る血糖測定装置１００によれば、ユーザにとってより聞き取りやすい音声による再出力を、簡易な操作で実現することが可能となる。
【００５７】
［第２の実施形態］
上記第１の実施形態では、再生ボタン１１６の繰り返し押下に応じて、音量レベル、音声出力スピード、音程の高さレベルの各設定項目を順次変更する構成としたが、変更する設定項目の順序はこれに限定されるものではない。
【００５８】
また、上記第１の実施形態では、音声出力スピードと音程の高さレベルとが２段階（初期値レベル、Ｌｏｗレベル）で変更可能であるとしたが、本発明はこれに限定されず、３段階以上で変更可能であってもよい。また、その場合、再生ボタン１１６の繰り返し押下に応じて、１段階ずつ段階的に変更させるように構成してもよい。
【符号の説明】
【００５９】
１００・・・血糖測定装置、１１０・・・測定装置本体部、１１１・・・ハウジング、１１２・・・測定部、１１３・・・電源スイッチ、１１４・・・表示部、１１５・・・呼び出しボタン、１１６・・・再生ボタン、１２０・・・チップ、１２１・・・細管部、１２２・・・ホルダ
【図１】
2012070971.tif 000003
【図２】
2012070971.tif 000004
【図３】
2012070971.tif 000005
【図４】
2012070971.tif 000006
【図５】
2012070971.tif 000007